(57)【特許請求の範囲】
【請求項１】
画像形成装置において、
転写媒体に画像形成を行う画像形成部と、
前記転写媒体の転写媒体情報を記録する記憶部と、
当該画像形成装置を制御する制御部と、を備え、
前記制御部は、少なくとも、前記転写媒体に関連した設定情報を、メモとして前記記憶部に記録するメモ機能を有し、前記メモによる内容を、前記メモの内容以外の前記転写媒体情報が表示される表示領域とは異なる表示領域に表示することを特徴とする画像形成装置。
【請求項２】
画像形成装置において、
転写媒体に画像形成を行う画像形成部と、
前記転写媒体の転写媒体情報を記録する記憶部と、
当該画像形成装置を制御する制御部と、を備え、
前記制御部は、少なくとも、前記転写媒体に関連した設定情報を、メモとして前記記憶部に記録するメモ機能を有し、前記メモの内容以外の前記転写媒体情報が表示される表示領域とは異なる表示領域に、前記設定情報の内容を説明するイラストと前記設定情報とを表示することを特徴とする画像形成装置。
【請求項３】
前記制御部は、表示された前記設定情報に対する入力を可能にすることを特徴とする請求項２記載の画像形成装置。
【請求項４】
画像形成装置において、
転写媒体に画像形成を行う画像形成部と、
前記転写媒体の転写媒体情報を記録する記憶部と、
当該画像形成装置を制御する制御部と、を備え、
前記制御部は、少なくとも、前記転写媒体に関連した設定情報を、メモとして前記記憶部に記録するメモ機能を有し、前記転写媒体への画像形成を開始すると、前記メモの内容が表示されている場合、該メモの内容を表示している表示画面を閉じることを特徴とする画像形成装置。
【請求項５】
前記制御部は、前記メモの内容を前記転写媒体情報の一部として、または前記転写媒体情報に関連付けて前記記憶部に記憶することを特徴とする請求項１〜４のいずれか１項に記載の画像形成装置。
【請求項６】
画像形成装置において、
転写媒体に画像形成を行う画像形成部と、
前記転写媒体の転写媒体情報を記録する記憶部と、
当該画像形成装置を制御する制御部と、を備え、
前記制御部は、少なくとも、前記転写媒体に関連した設定情報を、メモとして前記記憶部に記録するメモ機能を有し、前記メモの内容を表示する機能を有効または無効にする設定が可能であることを特徴とする画像形成装置。
【請求項７】
前記メモによって記録された設定情報が、前記画像形成装置のメカニカル調整値であることを特徴とする請求項１〜６のいずれか１項に記載の画像形成装置。
【請求項８】
前記メモによって記録された設定情報を第１のメカニカル調整値として、前記メモの内容以外の前記転写媒体情報に第２のメカニカル調整値が含まれており、前記第２のメカニカル調整値に係わるメカニカル調整が、前記制御部によって制御可能であることを特徴とする請求項７に記載の画像形成装置。
【請求項９】
画像形成装置において、
転写媒体に画像形成を行う画像形成部と、
前記転写媒体の転写媒体情報を記録する記憶部と、
当該画像形成装置を制御する制御部と、を備え、
前記制御部は、少なくとも、前記転写媒体に関連した設定情報を、メモとして前記記憶部に記録するメモ機能を有し、前記記憶部から前記転写媒体情報を読み出すと、前記メモによる設定情報の表示と前記メモの入力とを可能にすることを特徴とする画像形成装置。
【請求項１０】
前記制御部は、前記設定情報と、実際の設定値との照合の確認は行わないことを特徴とする請求項１〜９のいずれか１項に記載の画像形成装置。
【請求項１１】
転写媒体に画像形成を行う画像形成方法であって、
転写媒体の転写媒体情報を記録し、
少なくとも、前記転写媒体に関連した設定情報を、メモとして記録し、前記メモによる内容を、メモの内容以外の前記転写媒体情報が表示される表示領域とは異なる表示領域に表示することを特徴とする画像形成方法。
【請求項１２】
転写媒体に画像形成を行う画像形成方法であって、
転写媒体の転写媒体情報を記録し、
少なくとも、前記転写媒体に関連した設定情報を、メモとして記録し、
メモの内容以外の前記転写媒体情報が表示される表示領域とは異なる表示領域に、前記設定情報の内容を説明するイラストと前記設定情報とを表示することを特徴とする画像形成方法。
【請求項１３】
転写媒体に画像形成を行う画像形成方法であって、
転写媒体の転写媒体情報を記録し、
少なくとも、前記転写媒体に関連した設定情報を、メモとして記録し、
前記転写媒体への画像形成が開始されると、前記メモの内容が表示されている場合、該メモの内容を表示している表示画面を閉じることを特徴とする画像形成方法。
【請求項１４】
前記メモの内容を、前記転写媒体情報の一部として、または前記転写媒体情報に関連付けて記憶することを特徴とする請求項１１〜１３のいずれか１項に記載の画像形成方法。
【請求項１５】
画像形成装置を制御する制御部で実行される画像形成プログラムであって、
転写媒体の転写媒体情報を記憶部に記録する転写媒体情報記憶ステップと、
少なくとも、前記転写媒体に関連した設定情報を、メモとして記憶部に記録するメモ記憶ステップと、
前記メモによる内容を、メモの内容以外の前記転写媒体情報が表示される表示領域とは異なる表示領域に表示する表示ステップと、を有することを特徴とする画像形成プログラム。
【請求項１６】
画像形成装置を制御する制御部で実行される画像形成プログラムであって、
転写媒体の転写媒体情報を記憶部に記録する転写媒体情報記憶ステップと、
少なくとも、前記転写媒体に関連した設定情報を、メモとして記憶部に記録するメモ記憶ステップと、
メモの内容以外の前記転写媒体情報が表示される表示領域とは異なる表示領域に、前記設定情報の内容を説明するイラストと前記設定情報とを表示するステップと、を有することを特徴とする画像形成プログラム。
【請求項１７】
画像形成装置を制御する制御部で実行される画像形成プログラムであって、
転写媒体の転写媒体情報を記憶部に記録する転写媒体情報記憶ステップと、
少なくとも、前記転写媒体に関連した設定情報を、メモとして記憶部に記録するメモ記憶ステップと、
前記転写媒体への画像形成が開始されると、前記メモの内容が表示されている場合、該メモの内容を表示している表示画面を閉じるステップと、を有することを特徴とする画像形成プログラム。
【請求項１８】
前記メモ記憶ステップでは、前記メモの内容を、前記転写媒体情報の一部として、または前記転写媒体情報に関連付けて前記記憶部に記憶することを特徴とする請求項１５〜１７のいずれか１項に記載の画像形成プログラム。
【発明の詳細な説明】
【技術分野】
【０００１】
この発明は、用紙プロファイルを用いることができる画像形成装置、画像形成方法および画像形成プログラムに関するものである。
【背景技術】
【０００２】
画像形成装置では、用紙を給紙する給紙トレイの設定情報に紙種情報を登録しておき、画像形成における印刷条件に従って、給紙トレイから給紙される所定紙種の用紙に画像を印刷している。
従来、給紙トレイの設定情報に紙種情報を設定する場合、予め、頻繁に使用する紙種情報を用紙プロファイルとして登録しておき、設定に際し、用紙プロファイルから情報を呼び出すことで紙種情報を設定することを容易にしている。
【０００３】
ところで、画像形成装置では、印刷に際しメカニカル調整を必要とする場合がある。例えば、用紙として連続紙を使用する場合、用紙テンションを調整する「巻きつけ調整」や「軸制御」、さらに静電気除去を行う「イオナイザー」などの調整が必要になり、これらの調整は、用紙種類、環境などに応じて切り替える必要があり、用紙毎に調整値を管理する必要がある。
このためオペレータは用紙毎の調整値を「紙ベース」で管理する必要があり、以下の様な表を常に所持しておく必要がある。
例えば、１４０種の用紙を現状想定しており、下記のような表からピックアップするのは大変で、オペレータミスが発生する可能性があるため、作業効率向上とオペレータミスを軽減させたいという要望がある。
【０００４】
【表１】
0006369434.tif 000002
【０００５】
例えば、特許文献１では、性能が不明なサードパーティ製フィニッシャを接続した場合、印刷処理開始前の事前判定を適切に行うことでフィニッシャからエラー通知で排紙中断し、エラー原因となった用紙を表示させ、給紙不可の用紙として給紙判定テーブルに登録することで、事前に使用可能な用紙設定かパネルに表示して作業効率の低下を防止するものが提案されている。
【先行技術文献】
【特許文献】
【０００６】
【特許文献１】特開２０１５−３６２２９号公報
【発明の概要】
【発明が解決しようとする課題】
【０００７】
前記したメカニカル調整値等は、例えば用紙プロファイルに登録することで、その値を容易に把握することができる。しかし、メカニカル調整値等は、機種によっても異なるため、機種毎に、登録のためにファームウェアなどを用意するのは手間がかかる。また、用紙プロファイルを集約して管理する場合、設定項目の異なる用紙プロファイルを集約して管理するのは難しい。このため、メカニカル調整値等を、用紙の情報に関連付けて容易に登録する方法が求められている。
【０００８】
本発明は、上記事情を背景としてなされたものであり、メカニカル調整値等を転写媒体の情報と関連させて容易に登録することができる画像形成装置、画像形成方法および画像形成プログラムを提供することを目的とする。
【課題を解決するための手段】
【０００９】
すなわち、本発明の画像形成装置のうち、第１の形態は、画像形成装置において、
転写媒体に画像形成を行う画像形成部と、
前記転写媒体の転写媒体情報を記録する記憶部と、
当該画像形成装置を制御する制御部と、を備え、
前記制御部は、少なくとも、前記転写媒体に関連した設定情報を、メモとして前記記憶部に記録するメモ機能を有し、前記メモによる内容を、前記メモの内容以外の前記転写媒体情報が表示される表示領域とは異なる表示領域に表示することを特徴とする。
他の形態の画像形成装置の発明は、画像形成装置において、
転写媒体に画像形成を行う画像形成部と、
前記転写媒体の転写媒体情報を記録する記憶部と、
当該画像形成装置を制御する制御部と、を備え、
前記制御部は、少なくとも、前記転写媒体に関連した設定情報を、メモとして前記記憶部に記録するメモ機能を有し、前記メモの内容以外の前記転写媒体情報が表示される表示領域とは異なる表示領域に、前記設定情報の内容を説明するイラストと前記設定情報とを表示することを特徴とする。
他の形態の画像形成装置の発明は、前記形態の発明において、前記制御部は、表示された前記設定情報に対する入力を可能にすることを特徴とする。
他の形態の画像形成装置の発明は、画像形成装置において、
転写媒体に画像形成を行う画像形成部と、
前記転写媒体の転写媒体情報を記録する記憶部と、
当該画像形成装置を制御する制御部と、を備え、
前記制御部は、少なくとも、前記転写媒体に関連した設定情報を、メモとして前記記憶部に記録するメモ機能を有し、前記転写媒体への画像形成を開始すると、前記メモの内容が表示されている場合、該メモの内容を表示している表示画面を閉じることを特徴とする。
【００１０】
他の形態の画像形成装置の発明は、前記形態の本発明において、前記制御部は、前記メモの内容を前記転写媒体情報の一部として、または前記転写媒体情報に関連付けて前記記憶部に記憶することを特徴とする。
【００１２】
他の形態の画像形成装置の発明は、画像形成装置において、
転写媒体に画像形成を行う画像形成部と、
前記転写媒体の転写媒体情報を記録する記憶部と、
当該画像形成装置を制御する制御部と、を備え、
前記制御部は、少なくとも、前記転写媒体に関連した設定情報を、メモとして前記記憶部に記録するメモ機能を有し、前記メモの内容を表示する機能を有効または無効にする設定が可能であることを特徴とする。
【００１３】
他の形態の画像形成装置の発明は、前記形態の本発明において、前記メモによって記録された設定情報が、前記画像形成装置のメカニカル調整値であることを特徴とする。
【００１５】
他の形態の画像形成装置の発明は、前記形態の本発明において、前記メモによって記録された設定情報を第１のメカニカル調整値として、前記メモの内容以外の前記転写媒体情報に第２のメカニカル調整値が含まれており、前記第２のメカニカル調整値に係わるメカニカル調整が、前記制御部によって制御可能であることを特徴とする。
【００１８】
他の形態の画像形成装置の発明は、画像形成装置において、
転写媒体に画像形成を行う画像形成部と、
前記転写媒体の転写媒体情報を記録する記憶部と、
当該画像形成装置を制御する制御部と、を備え、
前記制御部は、少なくとも、前記転写媒体に関連した設定情報を、メモとして前記記憶部に記録するメモ機能を有し、前記記憶部から前記転写媒体情報を読み出すと、前記メモによる設定情報の表示と前記メモの入力とを可能にすることを特徴とする。
【００２０】
他の形態の画像形成装置の発明は、前記形態の本発明において、前記制御部は、前記設定情報と、実際の設定値との照合の確認は行わないことを特徴とする。
【００２１】
本発明の画像形成方法の発明のうち、第１の形態の発明は、転写媒体に画像形成を行う画像形成方法であって、
転写媒体の転写媒体情報を記録し、
少なくとも、前記転写媒体に関連した設定情報を、メモとして記録し、前記メモによる内容を、メモの内容以外の前記転写媒体情報が表示される表示領域とは異なる表示領域に表示することを特徴とする。
他の形態の画像形成方法の発明は、転写媒体に画像形成を行う画像形成方法であって、
転写媒体の転写媒体情報を記録し、
少なくとも、前記転写媒体に関連した設定情報を、メモとして記録し、
メモの内容以外の前記転写媒体情報が表示される表示領域とは異なる表示領域に、前記設定情報の内容を説明するイラストと前記設定情報とを表示することを特徴とする。
他の形態の画像形成方法の発明は、転写媒体に画像形成を行う画像形成方法であって、
転写媒体の転写媒体情報を記録し、
少なくとも、前記転写媒体に関連した設定情報を、メモとして記録し、
前記転写媒体への画像形成が開始されると、前記メモの内容が表示されている場合、該メモの内容を表示している表示画面を閉じることを特徴とする。
【００２２】
他の形態の画像形成方法の発明は、前記形態の本発明において、前記メモの内容を、前記転写媒体情報の一部として、または前記転写媒体情報に関連付けて記憶することを特徴とする。
【００２４】
本発明の画像形成プログラムの発明のうち、第１の形態の発明は、画像形成装置を制御する制御部で実行される画像形成プログラムであって、
転写媒体の転写媒体情報を記憶部に記録する転写媒体情報記憶ステップと、
少なくとも、前記転写媒体に関連した設定情報を、メモとして記憶部に記録するメモ記憶ステップと、
前記メモによる内容を、メモの内容以外の前記転写媒体情報が表示される表示領域とは異なる表示領域に表示する表示ステップと、を有することを特徴とする。
他の形態の画像形成プログラムの発明は、画像形成装置を制御する制御部で実行される画像形成プログラムであって、
転写媒体の転写媒体情報を記憶部に記録する転写媒体情報記憶ステップと、
少なくとも、前記転写媒体に関連した設定情報を、メモとして記憶部に記録するメモ記憶ステップと、
メモの内容以外の前記転写媒体情報が表示される表示領域とは異なる表示領域に、前記設定情報の内容を説明するイラストと前記設定情報とを表示するステップと、を有することを特徴とする
他の形態の画像形成プログラムの発明は、画像形成装置を制御する制御部で実行される画像形成プログラムであって、
転写媒体の転写媒体情報を記憶部に記録する転写媒体情報記憶ステップと、
少なくとも、前記転写媒体に関連した設定情報を、メモとして記憶部に記録するメモ記憶ステップと、
前記転写媒体への画像形成が開始されると、前記メモの内容が表示されている場合、該メモの内容を表示している表示画面を閉じるステップと、を有することを特徴とする。
【００２５】
他の形態の画像形成プログラムの発明は、前記形態の本発明において、前記メモ記憶ステップでは、前記メモの内容を、前記転写媒体情報の一部として、または前記転写媒体情報に関連付けて前記記憶部に記憶することを特徴とする。
【発明の効果】
【００２７】
すなわち、本発明によれば、転写媒体に関連した設定情報を、メモとして記憶することができ、設定情報を容易に確認でき、オペレータミスが軽減される。また、設定を容易に行うことができ、生産性の向上に繋がることができる。
【図面の簡単な説明】
【００２８】
【図１】本発明の一実施形態における画像形成装置の機械的概略を示す図である。
【図２】同じく、給紙調整部の構造およびメカニカル調整を説明する図である。
【図３】同じく、画像形成装置における電気的なブロック図を示す図である。
【図４】同じく、用紙プロファイルデータベースの構造および該データベースの保存を説明する図である。
【図５】同じく、用紙プロファイルの呼び出しおよび登録を行う手順を説明するフローチャートである。
【図６】同じく、用紙プロファイルを呼び出しと表示の手順を説明するフローチャートである。
【図７】同じく、用紙プロファイルの呼び出しと表示を行う画面例を説明する図である。
【図８】同じく、用紙プロファイルのメモが表示された画面例を説明する図である。
【図９】同じく、用紙プロファイルのメモの呼び出しと表示を行う画面の他例を説明する図である。
【図１０】同じく、用紙プロファイルのメモの呼び出しを行う画面の例を説明する図である。
【図１１】同じく、用紙プロファイルのメモの内容表示の画面例と設定を行う画面例を説明する図である。
【発明を実施するための形態】
【００２９】
以下に、本発明の一実施形態を添付図面に基づいて説明する。
図１は、一実施形態の画像形成装置の機械的概略を示すものである。
画像形成装置１は、画像形成部１３を有する装置本体１Ａを備え、装置本体１Ａの前段側には給紙調整部３００が接続され、給紙調整部３００の前段側に給紙装置２００が接続されている。また、装置本体１Ａの用紙排出側には排紙調整部４００が接続され、排紙調整部４００の用紙排出側には巻取り装置５００が接続されている。
【００３０】
なお、この実施形態では、装置本体１Ａと、装置本体１Ａに接続された装置とによって画像形成装置１が構成されているものとして説明しているが、装置本体１Ａに接続される装置の種別や数が特に限定されるものではなく、また、装置本体１Ａのみによって画像形成装置が構成されているものであってもよい。その場合、装置本体１Ａをその他装置とともに画像形成システムを構成するものであってもよい。
【００３１】
給紙装置２００は、連続用紙としてのロール紙Ｓを収納、保持し、給紙する機能を有する。
給紙調整部３００は、給紙装置２００と装置本体１Ａとの間の微小な速度差および寄りを吸収するためのバッファ機能を有する。排紙調整部４００は、装置本体１Ａと巻取り装置５００の間の微小な速度差および寄りを吸収する為のバッファ機能を有する。なお、装置本体１Ａと巻取り装置５００との間などに、ロール紙の断裁を行う断裁部を設置するようにしてもよく、オフラインで断裁部による断裁を行うようにしてもよい。巻取り装置５００は、排紙したロール紙を巻き取って保持する機能を有する。
【００３２】
なお、この実施形態では、連続紙としてロール紙を使用しているが、連続紙がロール紙に限定されるものではなく、用紙が連続しているものであればよく、連続伝票用紙、連続帳票用紙なども含まれる。連続紙はロール紙の形態で提供されるものでもよく、また、交互に畳まれた形態のものであってもよい。連続紙は、本発明の連続転写媒体に相当する。
連続転写媒体は、必ずしも紙であることが必須とされるものではない。
さらに、本発明の画像形成装置は、連続紙を扱うものではなく、単票用紙を扱うものであってもよい。
なお、上記した連続紙、単票用紙は、本発明の転写媒体に相当するが、本発明としては転写媒体の材質が紙に限定されるものではない。
【００３３】
画像形成装置１は、用紙に画像を形成する画像形成部１３を装置本体１Ａ内に有しており、装置本体１Ａ上部には、操作者の操作を受けるとともに、情報を表示する操作部１４０を有している。操作部１４０は、操作を行う操作部と表示を行う表示部とが別体で構成されていてもよく、タッチパネルＬＣＤなどのように操作部と表示部とが一体に構成されているものであってもよい。
【００３４】
画像形成装置１は、給紙装置２００から給紙調整部３００、画像形成部１３に至り、さらに画像形成部１３から排紙調整部４００、巻取り装置５００に至る搬送路２２を有している。
搬送路２２では、給紙装置２００に収容されているロール紙Ｓが給紙される。
この実施形態では、搬送路２２や、搬送ローラー、回転駆動されるローラーを駆動する図示しないモータなどによって搬送部が構成される。
【００３５】
画像形成部１３では、各色（シアン、マゼンタ、イエロー、ブラックなど）用にそれぞれ用意された感光体１５を有し、各感光体の周線部に図示しない帯電器、書き込み部および現像ユニットが配設されていている。帯電器によって帯電した感光体表面は、画像メモリなどに記録された原稿の画像情報に基づいて、ＬＤなどの書き込み部により像露光が行われ、感光体１５表面には潜像が形成される。潜像は現像ユニットによって現像がなされてトナー像となる。トナー像は、中間転写ベルト１６に転写され、中間転写ベルト１６の画像は、二次転写ローラー１８を通して、搬送路２２で搬送されロール紙Ｓに転写される。なお、本発明としては、各色用に感光体を有し、中間転写ベルトを有するカラー画像形成装置について説明を行ったが、本発明としては、画像形成装置は、モノクロ画像形成装置からなるものであってもよい。
【００３６】
画像形成部１３で画像が転写されて、定着部１９で熱と圧力とを加えることにより定着された画像は、ロール紙の搬送とともに装置本体１Ａ外に排出される。
【００３７】
図２は、給紙調整部３００の機械的な内部構造と、調整変更した例の拡大図（Ａ〜Ｄ図）を示すものである。
給紙調整部３００は調整機構３１０を有しており、メカニカル調整を行うことができる。調整機構３１０には、用紙導入側に用紙が掛け渡される回転搬送ローラー３１１とこれに隣接する可動回転ローラー３１２を有しており、用紙がローラー間に掛け渡される。その下流側で中間ローラー３１３が配置され、さらにこの下流側で、回転調整ローラー３１５、回転ローラー３１６をこの順に有して配置され、後段側に連続紙を排紙する構成を有している。なお、調整機構３１０には、その他のローラーなどの搬送部材を含むものであってもよい。
【００３８】
可動回転ローラー３１２は、円弧状に上下方向に移動することができ、その設置位置によって回転搬送ローラー３１１と可動回転ローラー３１２間に掛け渡される連続紙の巻き掛け量を変更することができる。
Ａ図では、可動回転ローラー３１２は、高位置（Ｈｉ）に設定されており、巻き掛け長さが長くなっている。Ｂ図では、可動回転ローラー３１２が定位置（Ｌｏ）に設定されており，巻き掛け長さが短くなっている。
この例では、可動回転ローラー３１２が２段階の位置で位置変更が可能になっているが、その段階数が限定されるものではなく、連続的に位置を変更できるものであってもよい。
【００３９】
また、回転調整ローラー３１５と回転ローラー３１６との間には用紙が掛け渡され、回転調整ローラー３１５は回転、固定を切り替えることができる。その切り替えによって用紙に加わるテンションを調整することができる。
Ｃ図は、回転調整ローラー３１５を固定に設定したものであり、回転調整ローラー３１５と回転ローラー３１６と間で用紙に加わるテンションを大きくする。Ｄ図は、回転調整ローラー３１５を回転可能にしたものであり、回転調整ローラー３１５と回転ローラー３１６と間で用紙に加わるテンションを小さくする。
なお、回転ローラー３１５は、回転、固定の切り替えだけでなく、回転に際してのトルクを段階的または連続的に変更できるようにしてもよい。
【００４０】
次に、画像形成装置１における機能的な説明を図３のブロック図に基づいて行う。
画像形成装置１は、主要な構成として、制御ブロック１１０と操作部１４０とプリンタ部１５０とを有するコピア本体と、ネットワーク１０を通して外部機器（ＰＣ）３との間で入出力される画像データを処理する画像処理部（プリント＆スキャナーコントローラー）１６０とを備えている。
【００４１】
制御ブロック１１０はＰＣＩバス１１２を有しており、ＰＣＩバス１１２は制御ブロック部１１０内でＤＲＡＭ制御ＩＣ１１１に接続されている。
さらに制御ブロック１１０には、制御ＣＰＵ１１３を備えており、該制御ＣＰＵ１１３に前記ＤＲＡＭ制御ＩＣ１１１が接続されている。また、制御ＣＰＵ１１３には、不揮発メモリ１１５が接続されている。該不揮発メモリ１１５には、上記制御ＣＰＵ１１３を動作させるためのプログラムや画像形成装置１の設定データ、プロセス制御パラメータ、トレイ設定、用紙プロファイルなどが格納されている。用紙プロファイルが格納された不揮発メモリは、本発明の記憶部に相当する。用紙プロファイルの格納は、画像形成装置に備えられた他の記憶部に記憶するものであってもよく、また、装置本体１Ａに接続された外部の記憶装置や装置本体１Ａに対し取り付け、取り外しが可能な記憶装置であってもよい。
【００４２】
制御ＣＰＵ１１３は、画像形成装置１の全体を制御し、また画像形成装置全体の状態把握を行うものであり、ロール紙の搬送制御、画像形成制御などを行う。すなわち、制御ＣＰＵ１１３は、本発明の制御部として機能する。
画像データは、スキャナーなどで読み取った画像データは、読み取り処理部１１６でデータ処理がなされる。読み取り処理部１１６は、圧縮ＩＣ１１７に接続されており、画像データを所定の方式で圧縮する。圧縮ＩＣ１１７は、ＤＲＡＭ制御ＩＣ１１１に接続されている。
【００４３】
前記操作部１４０は、タッチパネル式のＬＣＤ１４１と、操作部制御部１４２とを備えており、上記ＬＣＤ１４１と操作部制御部１４２とが接続され、該操作部制御部１４２と前記制御ＣＰＵ１１３とがシリアル通信可能に接続されている。該構成によって操作部１４０の制御が制御ＣＰＵ１１３によって行われる。なお、操作部制御部１４２は、ＣＰＵやこれを動作させるプログラムなどによって構成することができる。
操作部１４０では、装置本体１Ａ、給紙装置２００、給紙調整部３００、排紙調整部４００の定を行い、設定に基づいて画像形成制御と給紙装置２００から排紙装置５００に至る給紙を制御する。
【００４４】
操作部１４０では、画像形成装置１における設定や動作指令などの動作制御条件の入力が可能となっており、さらに設定内容、機械状態、情報の表示等が可能になっており、上記制御ＣＰＵ１１３により制御される。この操作部１４０によって、所定の操作などを行うことができる。例えば、メカニカル調整値をメモ機能によって記録し、記録部に格納することができる。
【００４５】
また、ＤＲＡＭ制御ＩＣ１１１は、圧縮メモリ１２１とページメモリ１２２とからなる画像メモリ１２０に接続されている。該画像メモリ１２０には、スキャナーで取得した画像データやネットワークを通して取得した画像データが格納される。
画像メモリ１２０は、画像データの記憶領域であり、印刷するジョブの画像データを格納する。また、上記ＤＲＡＭ制御ＩＣ１１１によって複数のジョブに関する画像データを画像メモリ１２０に記憶させることができる。
【００４６】
ＤＲＡＭ制御ＩＣ１１１には、画像データを圧縮する圧縮ＩＣ１１７と、圧縮したデータを伸長する伸長ＩＣ１２３が接続されている。伸長ＩＣ１２３には書き込み処理部１２４が接続されている。書き込み処理部１２４は、プリンタ部１５０のＬＤ１５４Ａに接続され、ＬＤ１５４Ａの動作に用いられるデータの処理を行う。ＬＤ１５４Ａは、各色用のＬＤを総称するものである。また、プリンタ部１５０は、画像形成部１３や搬送経路２２を含む搬送部を制御する。
【００４７】
プリンタ部１５０には、プリンタ部１５０全体を制御するプリンタ制御部１５１を備えており、該プリンタ制御部１５１は、前記した制御ＣＰＵ１１３に接続されて制御を受ける。すなわち、制御ＣＰＵ１１３から与えられるパラメータに従い、プリント動作の開始／停止を行う。プリンタ制御部１５１には、給紙装置２００や巻取り装置５００が制御可能に接続されており、制御ＣＰＵ１１３の指令によってプリンタ制御部１５１を介してロール紙の給紙や巻き取りの制御を行うことができる。
【００４８】
また、前記ＤＲＡＭ制御ＩＣ１１１に接続された前記ＰＣＩバス１１２には、前記した画像処理部（プリント＆スキャナーコントローラー）１６０のＤＲＡＭ制御ＩＣ１６１が接続されている。画像処理部（プリント＆スキャナーコントローラー）１６０では、ＤＲＡＭ制御ＩＣ１６１に画像メモリ１６２が接続されている。また、画像処理部（プリント＆スキャナーコントローラー）１６０では、前記ＤＲＡＭ制御ＩＣ１６１にコントローラー制御ＣＰＵ１６３が接続されており、ＤＲＡＭ制御ＩＣ１６１に、ＬＡＮインターフェース１６５が接続されている。ＬＡＮインターフェース１６５は、ネットワーク１０に接続されている。
ネットワーク１０には、外部機器（ＰＣ）３などが接続されており、画像形成装置１との間で画像データの送受信を行うことができる。
【００４９】
次に、上記画像形成装置１の基本的動作について説明する。
先ず、画像形成装置１において画像データを蓄積する手順について説明する。
スキャナーで原稿の画像を読み取り、画像データを生成する場合、スキャナーにおいて原稿から画像を光学的に読み取る。読み取られた画像は、読み取り処理部１１６でデータ処理がなされ、データ処理された画像データは、圧縮ＩＣ１１７において所定の方法によって圧縮され、ＤＲＡＭ制御ＩＣ１１１を介して圧縮メモリ１２１に格納される。圧縮メモリ１２１に格納された画像データは、制御ＣＰＵ１１３によってジョブとして管理することができる。
【００５０】
画像データを外部から取得する場合、例えば、外部機器（ＰＣ）３からネットワーク１０を通して送信される画像データは、ＬＡＮインターフェース１６５を介して、コントローラー制御ＣＰＵ１６３で制御されるＤＲＡＭ制御ＩＣ１６１により画像メモリ１６２に格納される。画像メモリ１６２のデータは、ＤＲＡＭ制御ＩＣ１６１、ＰＣＩバス１１２、ＤＲＡＭ制御ＩＣ１１１を介してページメモリ１２２に一旦格納される。ページメモリ１２２に格納されたデータは、ＤＲＡＭ制御ＩＣ１１１を介して圧縮ＩＣ１１７に順次送られて圧縮処理され、ＤＲＡＭ制御ＩＣ１１１を介して圧縮メモリ１２１に格納され、上記と同様に制御ＣＰＵ１１３による管理がなされる。
【００５１】
画像形成装置１で画像出力を行う場合、すなわち複写機やプリンタとして使用する場合、圧縮メモリ１２１に格納された画像データを、ＤＲＡＭ制御ＩＣ１１１を介して伸長ＩＣ１２３に送出して、画像データを展開し、その展開された画像データを書き込み処理部１２４にて繰り返しＬＤ１５４Ａに展開することで、ロール紙Ｓに画像データを印字することができる。
複写機として使用する場合、操作部１４０上で設定された印刷条件（プリントモード）等の情報を通知し、制御ＣＰＵ１１３で設定情報を作成する。作成された設定情報は制御ＣＰＵ１１３内のＲＡＭに格納することができる。
プリンタとして用いる場合、印刷条件は、外部機器（ＰＣ）３内のプリンタドライバで設定される。ここで設定された印刷条件は、画像と同様に（外部機器（ＰＣ）３→  ＬＡＮ  ＩＦ１６５→  画像メモリ１６２→  ＤＲＡＭ制御ＩＣ１６１（コントローラー）→  ＤＲＡＭ制御ＩＣ１１１（本体）→  ページメモリ１２２に格納される。
【００５２】
また、プリンタ部１５０では、制御ＣＰＵ１１３の指令を受けたプリンタ制御部１５１によって各部の制御が行われる。
画像形成装置１で画像出力を行う場合、印刷条件を、操作表示部１４０を通して設定し、この設定によって制御ＣＰＵ１１３では印刷の制御を行うことができる。印刷条件には用紙プロファイルが設定された給紙トレイ設定を含むものであってもよい。
画像形成部１３では各感光体１５に書き込まれたトナー像が中間転写ベルト１６に転写された後、二次転写ロール１８によって給紙装置２００によって供給されるロール紙Ｓに転写され、定着部１９で定着される。画像形成がなされた用紙は、搬送路２２によって排紙調整部４００へと搬送され、さらに下流側の巻取り装置５００でロールに巻き取られて保持される。
【００５３】
なお、上記説明では、用紙プロファイルの呼び出し、メモの表示、登録などを制御ＣＰＵ１１３で制御して行うものとして説明したが、画像形成装置にネットワーク接続された管理装置に設けられた制御部において画像形成装置を制御し、上記した用紙プロファイルのメモ表示や登録などを管理装置の制御部で制御して行うようにしてもよく、その画像形成方法、画像形成プログラムは、本発明の範囲に含まれるものである。
【００５４】
次に、用紙プロファイルデータベースについて、図４の概念図に基づいて説明する。
用紙プロファイルデータベースでは、複数の用紙プロファイルの登録が可能になっており、不揮発メモリ１１５などに格納される。図では、不揮発記録媒体として（ＳＳＤ；ソリッドステートドライブ）に、用紙プロファイルのデータが格納されている例が示されている。
用紙プロファイルは、用紙種類、坪量、パンチ穴、色属性などの特性が格納されているとともに、巻き掛け量、軸固定／回転、イオナイザーの設定内容が、メモとして格納されている。用紙種類、坪量、パンチ穴、色属性などは、従来の用紙プロファイルとして設定されている項目であり、この例では、これに加えてメモ（巻き掛け量など）を加えて用紙プロファイルとしているものである。
【００５５】
用紙種類、坪量、パンチ穴、色属性などの特性は、制御部によって制御が可能な事項であり、設定内容に基づいて装置の各種制御がなされる。例えば、用紙種類や坪量などに基づいて給紙トレイの選択などがなされる。また、パンチ穴の設定によってパンチ処理の制御がなされ、色属性に基づいて画像形成制御などがなされる。これらの設定内容は、操作部１４０を通してユーザが設定することができ、また、デフォルト値が予め与えられていてもよく、これを変更できるようにしてもよい。
上記した設定内容のうちで、巻き掛け量、軸固定／回転、イオナイザーは、メモ機能によって記録されたものであり、メカニカル調整値に相当する。制御部では、内容の表示以外には、これらの設定内容によって装置の制御を行うことはできない。また、制御部では、メモされた設定内容と実際の設定内容とを照合して確認することはできないものとなっている。
【００５６】
次に、上記用紙プロファイルを用いた工程の内容を図５のフローチャートに基づいて説明する。
先ず、給紙装置２００（フィーダー）にロール紙を組み付け（ステップｓ０１）、巻き取り部と結合する（ステップｓ０２）。次いで、用紙プロファイルを呼び出し、メモ画面を表示する（ステップｓ０３）。メモ画面の表示が本実施形態の一部内容となる。メモ画面の表示は、制御部の制御によって実行される。
次いで、ユーザによって用紙テンションの調整がなされる（ステップｓ０４）。ユーザは、用紙を数ｍ流して片寄り具合を見ることができる（ステップｓ０５）。
【００５７】
さらに、ユーザは用紙テンションの調整が必要かを判断する（ステップｓ０６）。用紙テンションの調整が必要でなければ（ステップｓ０６、Ｎｏ）、ジョブを開始する（ステップｓ０９）。一方、用紙テンションの調整が必要な場合（ステップｓ０６、Ｙｅｓ）、ユーザは用紙テンションを調整し（ステップｓ０７）、ユーザは用紙プロファイルの用紙テンション調整の設定内容をメモ機能によって記録する（ステップｓ０８）。メモ機能の実現は、本発明の実施形態によって達成される。記録後には、記録部に用紙プロファイルが格納される。
その後、ジョブが開始される（ステップｓ０９）。ジョブ開始後、メモ画面を閉じる（ステップｓ１０）。メモ画面は、ジョブの開始に伴って、ユーザの指示を受けることなく制御部によって閉じる手順が実行される。
印刷ジョブを実施するということは、調整が完了したと判断できるため、自動でメモ帳画面を閉じることでメモの内容が常時表示されることがなくなり、印刷ジョブや資材の表示など必要な情報を表示することが可能になる。また、画面を遷移するための操作が不要になる。
【００５８】
次に、用紙プロファイルを呼び出して表示する手順を図６のフローチャートに基づいて説明する。以下の手順は、制御部の制御によって実行される。
なお、画像形成装置では、用紙プロファイルのうちメモ表示を行う機能を有効、無効にする設定を行うことができるものとする。
機械状態設定画面の描画スタートにおいて、メモ表示ＯＮ状態かを判定する（ステップｓ２０）。メモ表示の設定は予めＯＮまたはＯＦＦの設定がなされており、不揮発メモリ１１５などに格納されている。
【００５９】
メモ表示ＯＮ状態でない場合（ステップｓ２０、Ｎｏ）、用紙プロファイルの呼び出しをするかの判定がなされる（ステップｓ２７）。メモ表示がＯＮ状態の場合（ステップｓ２０、Ｙｅｓ）、用紙プロファイルが読み出されているかの判定がなされる（ステップｓ２１）。用紙プロファイルは、不揮発メモリなどに格納されている。用紙プロファイルが読み出されていなければ（ステップｓ２１、Ｎｏ）、ステップｓ２７で用紙プロファイルの呼び出しを行うかの判定を行う。
【００６０】
用紙プロファイルが読み出されている場合（ステップｓ２１、Ｙｅｓ）、用紙プロファイルの巻き掛け量、軸固定／回転、イオナイザーのパラメータを参照する（ステップｓ２２）。これらのパラメータを機械状態画面の用紙テンションエリアに表示する（ステップｓ２３）。これらのパラメータは、用紙プロファイルの制御可能なパラメータとは別の表示領域に表示されている。
この手順によれば、オペレータはメモ画面を意識的に呼び出す必要がなくなり、操作の煩わしさを軽減に繋がる。自動で表示することでメカニカル調整を促す警告の役割も担い、オペレータミス（調整し忘れ）防止に繋がる。
次いで、用紙テンションエリアの設定変更釦が押下されたかを判定する（ステップｓ２４）。用紙テンションの設定変更釦が押下されていなければ（ステップｓ２４、Ｎｏ）、ステップｓ２７で用紙プロファイルの呼び出しを行うかの判定を行う。
【００６１】
用紙テンションの設定変更釦が押下されていれば（ステップｓ２４、Ｙｅｓ）、用紙テンション登録画面を表示し（ステップｓ２５）、オペレータの操作による用紙テンションの変更を受けて登録（更新）を行い（ステップｓ２６）、ステップｓ２７で用紙プロファイルの呼び出しを行うかの判定を行う。
【００６２】
用紙プロファイルの呼び出しを行う場合（ステップｓ２７、Ｙｅｓ）、用紙プロファイルを呼び出してメモ表示ＯＮ状態にし（ステップｓ２８）、ステップｓ２０に移行する。
用紙プロファイルの呼び出しを行わない場合（ステップｓ２７、Ｎｏ）、プリントジョブを受信し（ステップｓ２９）、メモ表示をＯＦＦ状態にして（ステップｓ３０）、処理を終了する。用紙プロファイルの呼び出しを行うかは、ユーザが選択してもよく、機械の設定によって呼び出しを行うか予め定めておいてもよい。
【００６３】
図７は、用紙プロファイル画面の呼び出しに至る画面の例を示すものである。
操作部１４０に表示された機械状態画面１４００（図７上段左側図）には、用紙欄１４０１が表示される。この用紙欄１４０１を押下すると、用紙設定画面１４１０が表示される。用紙設定画面１４１０には、呼び出し釦１４１１と設定登録釦１４１２とが押下可能に表示されている。呼び出し釦１４１１を押下すると、紙種リスト画面１４２０が表示される。紙種リストには、制御部によって制御可能なメカニカル調整値が設定されているものであってもよい。このメカニカル調整値は、本発明の第２のメカニカル調整値に相当する。この紙種リスト画面１４２０で所望の紙種が選択されると、その紙種の内容が呼び出されて用紙設定画面１４１０に反映される。用紙設定画面１４１０の内容は、設定登録釦１４１２を押下することで不揮発メモリなどの用紙プロファイルとして登録される。
また、紙種設定画面１４１０では、設定変更釦１４１３が押下可能に表示されている。
【００６４】
設定変更釦１４１３が押下されると、表示画面が遷移し、メモ表示が可能な画面となる。メモの内容は、制御可能な用紙プロファイルのパラメータが表示された用紙設定画面とは異なる表示領域に表示されている。この実施形態では、３例の表示例が示されている。
図７の下段左側図では、トップ画面の機械状態画面１４００に、メモの内容が表示されたメモ設定表示画面１４３０がポップアップ表示される。メモ設定表示画面１４３０では、巻きつけ量のＨｉ、Ｌｏの選択と、軸固定／回転の固定、回転の選択と、イオナイザーについて「使用する」、「使用しない」の選択およびこれらの表示が可能になっている。
【００６５】
図７の下側中央画面の例では、トップ画面である機械状態画面１４００に用紙欄１４３１が表示されており、メモ画面の呼び出しが可能になっている。
図７の下側右側図では、トップ画面である機械状態画面１４００に、用紙欄１４３２が表示され、用紙欄１４３２にメモ画面を呼び出すヘルプ釦１４３２Ａが表示されている。
メモ画面とそれ以外の用紙プロファイルの画面とが異なる表示領域に表示されることで、両者を明確に区分けして内容を見ることができ、メモ画面のメカニカル調整値が設定値であると誤解されることがない。
【００６６】
図８は、メモ画面をポップアップ表示した例を示す画面例である。
機械状態画面１４００にメモ設定表示画面１４３０がポップアップ表示されている。
メモ設定表示画面１４３０では、巻掛け量、軸固定／回転、イオナイザーについて、それぞれメカニカル調整チェック欄１４３０Ａが設けられており、巻掛け量では、「Ｈｉ」、「Ｌｏ」のいずれかのチェック、軸固定／回転では、「固定」、「回転」のいずれかのチェック、イオナイザーでは、「使用する」、「使用しない」のいずれかのチェックの選択が可能になっており、設定された内容がチェックマークによって明示されている。これらの設定内容は、第１のメカニカル調整値に相当する。
また、メモ設定表示画面１４３０の右側には、設定項目を図解したイラスト１４３０Ｂが示されており、各項目の位置が容易に把握されるようになっている。
調整量をイラストと対で表示することで、直感的に対象の部位を特定でき、調整ミスがなくなるため、ヤレ紙削減に繋がる。
上記メモ設定表示画面は、プリントジョブ受信でポップアップが閉じられる。
【００６７】
図９は、メモ画面をトップ画面に埋め込む画面例である。
この例では、機械状態画面１４００に用紙欄１４３１が表示されており、用紙欄１４３１に、用紙テンション情報設定釦１４３１Ａが押下可能に表示されている。
用紙テンション情報設定釦１４３１Ａが押下されると、機械状態画面１４００にメモ設定表示画面１４４０が埋め込み表示される。メモ設定表示画面１４４０では、メモ設定表示画面１４３０と同様にメカニカル調整チェック欄１４４０Ａとメカニカル調整を行う箇所のイラスト１４４０Ｂとが表示されている。メモ設定表示画面１４４０には、閉じる釦１４４０Ｃが押下可能に表示されており、閉じる釦１４４０Ｃを押下すると、用紙欄１４３１が表示された機械状態画面１４００に遷移する。
またメモ設定表示画面１４４０は、プリントジョブ受信で閉じられる。
【００６８】
図１０は、メモ画面をヘルプで表示する画面例である。
機械状態画面１４００には、用紙欄１４３２が表示されており、用紙欄１４３２には、ヘルプ釦１４３２Ａが押下可能に表示されている。
ヘルプ釦１４３２Ａが押下されると、図７に示すように、機械状態画面１４００に、メモ内容を表示したメモ表示画面１４５０が表示される。メモ表示画面１４５０では、メカニカル調整値をイラストとともに表示する設定内容表示１４５０Ａが表示される。メモ表示画面１４５０には、ｍｅｍｏ釦１４５０Ｂが押下可能に表示されている。
【００６９】
ｍｅｍｏ釦１４５０Ｂが押下されると、メモ設定表示画面１４６０がポップアップ表示される。メモ設定表示画面１４６０では、メカニカル調整チェック欄１４６０Ａによって設定を行うことができ、メカニカル調整を行うイラスト１４６０Ｂが表示されている。メモ設定表示画面１４６０には、閉じる釦１４６０Ｃが押下可能に表示されており、閉じる釦１４６０Ｃが押下されると、メモ設定表示画面１４６０が閉じられる。また、メモ画面１４６０で設定の変更が行われていると、変更内容が不揮発メモリなどに格納される。
またメモ設定表示画面１４６０は、プリントジョブ受信で閉じられる。
【００７０】
なお、上記説明では、用紙プロファイルにメモの内容が含まれるものとして説明したが、用紙プロファイルとメモの内容とは別のデータとして格納されて、互いに関連付けられているものであってもよい。
【００７１】
以上、本発明について、上記実施形態に基づいて説明を行ったが、本発明の範囲を逸脱しない限りは、前記実施形態の範囲を適宜変更することは可能である。
【符号の説明】
【００７２】
１    画像形成装置
１３    画像形成部
１１３    制御ＣＰＵ
１１５    不揮発メモリ
１２０    画像メモリ（ＤＲＡＭ）
１２１    圧縮メモリ
１２２    ページメモリ
１４０    操作部
１５０    プリンタ部
２００    給紙装置
３００    給紙調整部
４００    排紙調整部
５００    巻取り装置
１４００    機械状態画面
１４３０    メモ設定表示画面
１４３１Ａ  用紙テンション情報設定釦
１４４０    メモ設定表示画面
１４５０    メモ表示画面
１４５０Ｂ  ｍｅｍｏ釦
１４６０    メモ表示設定画面
【図１】
0006369434.tif 000003
【図２】
0006369434.tif 000004
【図３】
0006369434.tif 000005
【図４】
0006369434.tif 000006
【図５】
0006369434.tif 000007
【図６】
0006369434.tif 000008
【図７】
0006369434.tif 000009
【図８】
0006369434.tif 000010
【図９】
0006369434.tif 000011
【図１０】
0006369434.tif 000012
【図１１】
0006369434.tif 000013